(57)【要約】      （修正有）【課題】パネルの損傷を防止することができる表示装置を提供する。【解決手段】本発明の表示装置１０００は、それぞれ回転可能に連結された複数の支持部１０１，１０２，１０３を含むパネル支持部１００と、パネル支持部の第１面１１１上に配置されたフレキシブルな表示パネル９００と、パネル支持部の一側に回転可能に連結された第１保護部２０１と、を備える。【選択図】図１
2020187353.tif 000002
【特許請求の範囲】
【請求項１】
それぞれ回転可能に連結された複数の支持部を含むパネル支持部と、
前記パネル支持部の第１面上に配置されたフレキシブルな表示パネルと、
前記パネル支持部の一側に回転可能に連結された第１保護部と、を備えることを特徴とする表示装置。
【請求項２】
前記第１保護部は、前記表示パネルの非表示面に接触しないことを特徴とする請求項１に記載の表示装置。
【請求項３】
前記パネル支持部は、
前記第１保護部に回転可能に連結された第１支持部と、
前記第１支持部に回転可能に連結された第２支持部と、
前記第２支持部に回転可能に連結された第３支持部と、を含むことを特徴とする請求項１に記載の表示装置。
【請求項４】
前記第１保護部は、前記第１支持部に対して８０度〜１９０度回転可能に連結されることを特徴とする請求項３に記載の表示装置。
【請求項５】
前記第１保護部と前記第１支持部との間の角度が１８０度よりも小さい場合、前記第１保護部は、前記第２支持部と前記第３支持部との間の前記表示パネルの表示面に向き合うことを特徴とする請求項４に記載の表示装置。
【請求項６】
前記第１保護部は、前記第１支持部から遠くなるほど大きくなる厚さを有することを特徴とする請求項３に記載の表示装置。
【請求項７】
前記第１保護部の一面は、ラウンド状を有し、
前記第１保護部の一面の少なくとも一部は、前記表示パネルの湾曲部と同一の曲率を有し、
前記第１保護部と前記第１支持部との間の角度が９０度の場合、前記第１保護部は、前記表示パネルの湾曲部を露出させないことを特徴とする請求項６に記載の表示装置。
【請求項８】
前記第１保護部と前記第１支持部との間の角度が９０度の場合、前記第１保護部は、前記表示パネルの湾曲部に接触することを特徴とする請求項３に記載の表示装置。
【請求項９】
前記第１保護部は、
保護プレートと、
前記保護プレートから延び、前記第１支持部の第３連結部と第４連結部との間に配置された延長部と、を含み、
前記延長部と、前記第３連結部及び前記第４連結部とは、回転軸を介して連結されることを特徴とする請求項３に記載の表示装置。
【請求項１０】
前記第１保護部は、
保護プレートと、
前記保護プレートの一側縁部から延び、前記第１支持部の第３連結部の外側に配置された第１延長部と、
前記保護プレートの他側縁部から延び、前記第１支持第部の第４連結部の外側に配置された第２延長部と、を含み、
前記第３連結部と前記第１延長部とは、第１回転軸を介して連結され、
前記第４連結部と前記第２延長部とは、第２回転軸を介して連結されることを特徴とする請求項３に記載の表示装置。
【請求項１１】
前記第１保護部の内側面及び外側面の少なくとも一つに配置された補助表示パネルと、
前記第１保護部の内側面及び外側面の少なくとも一つに配置されたモード判断センサーと、
前記第１保護部の内側面及び外側面の少なくとも一つに配置された指紋センサーと、
前記第１保護部の内側面及び外側面の少なくとも一つに配置された物理操作部と、
前記第１保護部の内側面及び外側面の少なくとも一つに配置された撮影部と、
前記第１保護部の内側面及び外側面の少なくとも一つに配置された照明部と、を更に含むことを特徴とする請求項１に記載の表示装置。
【請求項１２】
前記第１保護部に回転可能に連結された第２保護部を更に含み、
前記第２保護部は、前記第３支持部上に配置されることを特徴とする請求項３に記載の表示装置。
【請求項１３】
前記第３支持部に回転可能に連結された第３保護部を更に含み、
前記第３保護部の内側面と前記第３支持部の背面との間の角度は、８０度〜１９０度であることを特徴とする請求項３に記載の表示装置。
【請求項１４】
前記第１支持部と前記第２支持部とを連結する第１ヒンジ部を更に含むことを特徴とする請求項３に記載の表示装置。
【請求項１５】
前記第１ヒンジ部は、
第１プレートと、
前記第１プレートの一側縁部から突出し、前記第１支持部の第１連結部及び前記第２支持部の第１連結部に連結された第１結合部と、
前記第１プレートの他側縁部から突出し、前記第１支持部の第２連結部及び前記第２支持部の第２連結部に連結された第２結合部と、を含むことを特徴とする請求項１４に記載の表示装置。
【請求項１６】
前記第１結合部は、
前記第１支持部の第１連結部に連結された第１回転軸と、
前記第２支持部の第１連結部に連結された第２回転軸と、
前記第１回転軸及び前記第２回転軸に連結された複数のギアと、を含み、
前記第２結合部は、
前記第１支持部の第２連結部に連結された第３回転軸と、
前記第２支持部の第２連結部に連結された第４回転軸と、
前記第３回転軸及び前記第４回転軸に連結された複数のギアと、を含むことを特徴とする請求項１５に記載の表示装置。
【請求項１７】
前記第２支持部と前記第３支持部とを連結する第２ヒンジ部を更に含むことを特徴とする請求項３に記載の表示装置。
【請求項１８】
前記第２ヒンジ部は、前記第２支持部と前記第３支持部との間にヒンジ結合された複数の関節部を含むことを特徴とする請求項１７に記載の表示装置。
【請求項１９】
隣接するもの同士が互いに連結されたｎ個（ｎは２より大きな自然数）の支持部を含むパネル支持部と、
前記パネル支持部上に配置されたフレキシブルな表示パネルと、
前記ｎ個の支持部の中の一側最外郭に配置された支持部に回転可能に連結された保護部と、を備えることを特徴とする表示装置。
【請求項２０】
前記保護部は、前記表示パネルの非表示面に接触しないことを特徴とする請求項１９に記載の表示装置。
【発明の詳細な説明】
【技術分野】
【０００１】
本発明は、表示装置に関し、より詳しくは、表示パネルの損傷を防止することができる表示装置に関する。
【背景技術】
【０００２】
フレキシブル又はフォルダブル表示装置は曲がり得る表示パネルを含む。表示パネルの湾曲部は他の部分よりも多くのストレスを受けるため、この湾曲部は外部からの衝撃に脆弱な問題点を有する。
【先行技術文献】
【特許文献】
【０００３】
【特許文献１】特開２０１７−１２６０６１号公報
【発明の概要】
【発明が解決しようとする課題】
【０００４】
本発明は、上記従来の問題点に鑑みてなされたものであって、本発明の目的は、表示パネルの損傷を防止する表示装置を提供することにある。
【課題を解決するための手段】
【０００５】
上記目的を達成するためになされた本発明の一態様による表示装置は、それぞれ回転可能に連結された複数の支持部を含むパネル支持部と、前記パネル支持部の第１面上に配置されたフレキシブルな表示パネルと、前記パネル支持部の一側に回転可能に連結された第１保護部と、を備える。
【０００６】
前記第１保護部は、前記表示パネルの非表示面に接触しない。
前記パネル支持部は、前記第１保護部に回転可能に連結された第１支持部と、前記第１支持部に回転可能に連結された第２支持部と、前記第２支持部に回転可能に連結された第３支持部と、を含み得る。
前記第１保護部は、前記第１支持部に対して８０度〜１９０度回転可能に連結され得る。
前記第１保護部と前記第１支持部との間の角度が１８０度よりも小さい場合、前記第１保護部は、前記第２支持部と前記第３支持部との間の前記表示パネルの表示面に向き合い得る。
前記第１保護部の回転軸は、前記第１支持部と前記第２支持部との間の回転軸に平行であり得る。
前記第１支持部と前記第２支持部との間の回転軸は、前記第２支持部と前記第３支持部との間の回転軸に平行であり得る。
前記第１支持部及び前記第２支持部は、前記第１支持部の第１面と前記第２支持部の第２面とが互いに向き合うように回転し得る。
前記第２支持部及び前記第３支持部は、前記第２支持部の第２面と前記第３支持部の第２面とが互いに向き合うように回転するか、又は第２支持部の第１面と第３支持部の第１面とが互いに向き合うように回転し得る。
前記第１支持部の向き合う第１及び第２縁部の中の前記第１縁部は、前記第２支持部に回転可能に連結され、前記第２縁部は、前記第１保護部に回転可能に連結され得る。
前記第１保護部は、前記第２縁部に沿って延び得る。
前記第１保護部は、前記第１支持部から遠くなるほど大きくなる厚さを有し得る。
前記第１保護部の一面は、ラウンド状を有し、前記第１保護部の一面の少なくとも一部は、前記表示パネルの湾曲部と同一の曲率を有し、前記第１保護部と前記第１支持部との間の角度が９０度の場合、前記第１保護部は、前記表示パネルの湾曲部を露出させない。
前記第１保護部と前記第１支持部との間の角度が９０度の場合、前記第１保護部は、前記表示パネルの湾曲部に接触し得る。
前記第１保護部は、保護プレートと、前記保護プレートから延び、前記第１支持部の第１連結部と第２連結部との間に配置された延長部と、を含み、前記保護プレートと、前記第１連結部及び前記第２連結部とは、回転軸を介して連結され得る。
前記第１保護部は、保護プレートと、前記保護プレートの一側縁部から延び、前記第１支持部の第１連結部の外側に配置された第１延長部と、前記保護プレートの他側縁部から延び、前記第１支持部の第２連結部の外側に配置された第２延長部と、を含み、前記保護プレートと前記第１延長部とは、第１回転軸を介して連結され、前記保護プレートと前記第２延長部とは、第２回転軸を介して連結され得る。
前記第１保護部は、透明物質を含み得る。
前記表示装置は、前記第１保護部の内側面に配置された緩衝部を更に含み得る。
前記緩衝部は、前記第１保護部の内側面の全面に配置され得る。
前記緩衝部は、前記第１保護部の内側面の両側縁部に配置され得る。
前記表示装置は、前記第１保護部の内側面及び外側面の少なくとも一つに配置された補助表示パネルと、前記第１保護部の内側面及び外側面の少なくとも一つに配置されたモード判断センサーと、前記第１保護部の内側面及び外側面の少なくとも一つに配置された指紋センサーと、前記第１保護部の内側面及び外側面の少なくとも一つに配置された物理操作部と、前記第１保護部の内側面及び外側面の少なくとも一つに配置された撮影部と、前記第１保護部の内側面及び外側面の少なくとも一つに配置された照明部と、を更に含み得る。
前記表示装置は、前記第１保護部に回転可能に連結された第２保護部を更に含み、前記第２保護部は、前記第３支持上に配置され得る。
前記第２保護部は、透明物質又は半透明物質を含み得る。
前記表示装置は、前記第３支持部に回転可能に連結された第３保護部を更に含み、前記第３保護部の内側面と前記第３支持部の背面との間の角度は、８０度〜１９０度であり得る。
前記表示装置は、前記第１支持部と前記第２支持部とを連結する第１ヒンジ部を更に含み得る。
前記第１ヒンジ部は、第１プレートと、前記第１プレートの一側縁部から突出し、前記第１支持部の第１連結部及び前記第２支持部の第１連結部に連結された第１結合部と、前記第１プレートの他側縁部から突出し、前記第１支持部の第２連結部及び前記第２支持部の第２連結部に連結された第２結合部と、を含み得る。
前記第１結合部は、前記第１支持部の第１連結部に連結された第１回転軸と、前記第２支持部の第１連結部に連結された第２回転軸と、前記第１回転軸及び前記第２回転軸に連結された複数のギアと、を含み、前記第２結合部は、前記第１支持部の第２連結部に連結された第３回転軸と、前記第２支持部の第２連結部に連結された第４回転軸と、前記第３回転軸及び前記第４回転軸に連結された複数のギアと、を含み得る。
前記表示装置は、前記第２支持部と前記第３支持部とを連結する第２ヒンジ部を更に含み得る。
前記第２ヒンジ部は、前記第２支持部と前記第３支持部との間にヒンジ結合された複数の関節部を含み得る。
【０００７】
一実施形態による表示装置は、第１支持部、前記第１支持部に回転可能に連結された第２支持部、及び前記第２支持部に回転可能に連結された第３支持部を含むパネル支持部と、前記パネル支持部上に配置されたフレキシブルな表示パネルと、前記第１支持部に回転可能に連結された保護部と、を備える。
【０００８】
前記保護部は、前記表示パネルの非表示面に接触しない。
前記保護部は、前記第１支持部に対して８０度〜１９０度回転可能に連結され得る。
前記保護部と前記第１支持部との間の角度が１８０度よりも小さい場合、前記保護部は、前記第２支持部と前記第３支持部との間の前記表示パネルの表示面に向き合い得る。
【０００９】
上記目的を達成するためになされた本発明の他の態様による表示装置は、隣接するもの同士が互いに連結されたｎ個（ｎは２より大きな自然数）の支持部を含むパネル支持部と、前記パネル支持部上に配置されたフレキシブルな表示パネルと、前記ｎ個の支持部の中の一側最外郭に配置された支持部に回転可能に連結された保護部と、を備える。
【００１０】
前記保護部は、前記表示パネルの非表示面に接触しない。
【発明の効果】
【００１１】
本発明の表示装置は、パネル支持部に連結された保護部を含む。保護部はフォルディングされた表示パネルの湾曲部を保護することができる。従って、表示パネルの損傷を防止することができる。
【図面の簡単な説明】
【００１２】
【図１】本発明の一実施形態による表示装置の立体図である。
【図２】図１の前面を示した図である。
【図３】図１の背面を示した図である。
【図４】図１の第１ヒンジ部の立体図である。
【図５】図４の第１ヒンジ部の詳細構成図である。
【図６】図１の第２ヒンジ部の立体図である。
【図７】図６の第２ヒンジ部と支持部との間の連結関係を示した図である。
【図８】図６のいずれか一つの関節部の立体図である。
【図９】図６の関節部と連結軸との間の連結関係を説明するための図である。
【図１０】図１の表示装置をＹ軸方向の矢印方向に見た図である。
【図１１】図１０の表示装置が折り畳まれた状態を示した図である。
【図１２】本発明の他の実施形態による表示装置を示した図である。
【図１３】図１２の緩衝部の一実施例を説明するための図である。
【図１４】図１２の緩衝部の他の実施例を説明するための図である。
【図１５】本発明の他の実施形態による表示装置の第１保護部を示した図である。
【図１６】本発明の他の実施形態による表示装置の第１保護部を示した図である。
【図１７】図１６のモード判断センサーの動作を説明するための図である。
【図１８】図１６のモード判断センサーの動作を説明するための図である。
【図１９】本発明の他の実施形態による表示装置の第１保護部を示した図である。
【図２０】本発明の他の実施形態による表示装置の第１保護部を示した図である。
【図２１】本発明の他の実施形態による表示装置の第１保護部を示した図である。
【図２２】図２１の位置判断センサーの動作を説明するための図である。
【図２３】図２１の位置判断センサーの動作を説明するための図である。
【図２４ａａ】本発明の第１保護部の他の実施例を説明するための図である。
【図２４ａｂ】本発明の第１保護部の他の実施例を説明するための図である。
【図２４ｂ】本発明の第１保護部の他の実施例を説明するための図である。
【図２５ａａ】本発明の他の実施形態による表示装置を示した図である。
【図２５ａｂ】本発明の他の実施形態による表示装置を示した図である。
【図２５ｂ】本発明の他の実施形態による表示装置を示した図である。
【図２５ｃ】本発明の他の実施形態による表示装置を示した図である。
【図２６】本発明の他の実施形態による表示装置を示した図である。
【図２７】図２６の表示装置をＹ軸方向の矢印方向に見た図である。
【図２８】図２７の表示装置が折り畳まれた状態を示した図である。
【図２９】本発明の他の実施形態による表示装置を示した図である。
【図３０】本発明の他の実施形態による表示装置を示した図である。
【図３１】本発明の他の実施形態による表示装置を示した図である。
【発明を実施するための形態】
【００１３】
本発明の利点及び特徴、そしてそれらを達成する方法は、図面に基づいて詳細に後述する実施形態を参照すると明らかになるであろう。しかし、本発明は、以下で開示する実施形態に限定されるものではなく、それぞれ異なる多様な形態に具現され得る。但し、本実施形態は、本発明の開示を完全にし、本発明が属する技術分野で通常の知識を有する者に発明の範疇を完全に知らせるために提供するものである。従って、いくつかの実施形態において、よく知られた工程段階、よく知られた素子構造、及びよく知られた技術は、本発明が曖昧に解釈されることを避けるために具体的に説明しない。明細書全般に亘って、同じ参照符号は同一構成要素を指す。
【００１４】
図面において、多くの層及び領域を明確に表現するために厚さを拡大して示した。明細書全般に亘って類似の部分には同じ図面符号を付けた。層、膜、領域、板などの部分が他の部分の“上に”あると言う場合、これは他の部分の“直上に”ある場合だけではなく、その中間に更に他の部分がある場合も含む。一方、ある部分が他の部分の“直上に”あると言う場合には中間に他の部分がないことを意味する。また、層、膜、領域、板などの部分が他の部分の“下に”あると言う場合、これは他の部分の“直下に”ある場合だけではなく、その中間に更に他の部分がある場合も含む。一方、ある部分が他の部分の“直下に”あると言う場合には中間に他の部分がないことを意味する。
【００１５】
空間的に相対的な用語である“下（ｂｅｌｏｗ）”、“下（ｂｅｎｅａｔｈ）”、“下部（ｌｏｗｅｒ）”、“上（ａｂｏｖｅ）”、“上部（ｕｐｐｅｒ）”などは、図面に示すように、１個の素子又は構成要素と他の素子又は構成要素との相関関係を容易に記述するために使用し得る。空間的に相対的な用語は、図面に示す方向に加えて、使用時又は動作時の素子のそれぞれ異なる方向を含む用語と理解しなければならない。例えば、図面に示す素子を覆う場合、他の素子の“下（ｂｅｌｏｗ）”又は“下（ｂｅｎｅａｔｈ）”に配置されると記述された素子は、他の素子の“上（ａｂｏｖｅ）”に置かれる。従って、例示的な用語である“下”は、下と上の方向のいずれも含み得る。素子は、他の方向にも配置され、従って空間的に相対的な用語は配置によって解釈され得る。
【００１６】
本明細書において、ある部分が他の部分に連結されると言う場合、これは直接的に連結される場合だけではなく、その中間に他の素子を介して電気的に連結される場合も含む。また、ある部分がある構成要素を含むという場合、これは、特に反対の記載がない限り、他の構成要素を排除するものではなく、他の構成要素を更に含み得ることを意味する。
【００１７】
本明細書において、第１、第２、第３などの用語は、多様な構成要素を説明するために使われるが、このような構成要素は上記用語に限定されるものではない。上記用語は一構成要素を他の構成要素と区別する目的で使われる。例えば、本発明の権利範囲から逸脱しない範疇内で、第１構成要素を第２又は第３構成要素などと名付けることができ、同様に第２又は第３構成要素も取り替えて名付けることができる。
【００１８】
他の定義がない限り、本明細書で使われる全ての用語（技術的及び科学的用語を含む）は、本発明が属する技術分野で通常の知識を有する者に共通して理解可能な意味として使用可能である。また、一般的に使われる辞書で定義される用語は、特に定義しない限り、理想的に又は過度に解釈されない。
【００１９】
以下、図１〜図３１を参照しながら本発明による表示装置を実施するための形態の具体例を詳細に説明する。
【００２０】
図１は、本発明の一実施形態による表示装置の立体図であり、図２は、図１の前面を示した図であり、図３は、図１の背面を示した図である。
【００２１】
本実施形態による表示装置１０００は、図１〜図３に示したように、パネル支持部１００、表示パネル９００、及び第１保護部２０１を含む。ここで、パネル支持部１００は、複数の支持部（１０１、１０２、１０３）及び複数のヒンジ部（１５１、１５２）を含む。
【００２２】
パネル支持部１００は、支持面１１１及び支持面１１１の縁部に配置された突出部１２０を更に含む。突出部１２０は支持面１１１の縁部からＺ軸方向に突出する。突出部１２０の高さは支持面１１１の高さよりも高い。ここで、突出部１２０の高さ及び支持面１１１の高さはＺ軸方向への大きさを意味する。
【００２３】
複数の支持部（１０１、１０２、１０３）は、第１支持部１０１、第２支持部１０２、及び第３支持部１０３を含む。図１に示したように、パネル支持部１００が完全に広げられた状態にある場合、第２支持部１０２は第１支持部１０１と第３支持部１０３との間に配置される。
【００２４】
第１支持部１０１上の突出部１２０は第２支持部１０２上の突出部１２０及び第３支持部１０３上の突出部１２０に連結されず、第２支持部１０２上の突出部１２０は第１支持部１０１上の突出部１２０及び第３支持部１０３上の突出部１２０に連結されず、そして第３支持部１０３上の突出部１２０は第１支持部１０１上の突出部１２０及び第２支持部１０２上の突出部１２０に連結されない。即ち、それぞれ異なる支持部上の突出部１２０は互いに分離される。
【００２５】
図１に示した一例のように、第１支持部１０１上の突出部１２０は“］”形状を有し、第２支持部１０２上の突出部１２０は“＝”形状を有し、そして第３支持部１０３上の突出部１２０は“［”形状を有する。
【００２６】
隣接する支持部（１０１、１０２、１０３）は互いに回転可能に連結される。このため、隣接する支持部（１０１、１０２、１０３）はこれらの間に配置されたヒンジ部（１５１、１５２）を介して互いにヒンジ結合される。
【００２７】
複数のヒンジ部（１５１、１５２）は、第１ヒンジ部１５１及び第２ヒンジ部１５２を含む。ヒンジ部の個数は支持部の個数よりも１個少ない。例えば、パネル支持部１００が３個の支持部を含む場合、パネル支持部１００は２個のヒンジ部を含む。
【００２８】
ヒンジ部（１５１、１５２）は隣接する支持部（１０１、１０２、１０３）の間に配置される。例えば、第１ヒンジ部１５１は互いに隣り合って配置された第１支持部１０１と第２支持部１０２との間に配置され、第２ヒンジ部１５２は互いに隣り合うように配置された第２支持部１０２と第３支持部１０３との間に配置される。
【００２９】
第１支持部１０１は第１ヒンジ部１５１に連結され、第２支持部１０２は第１ヒンジ部１５１及び第２ヒンジ部１５２に連結され、そして第３支持部１０３は第２ヒンジ部１５２に連結される。例えば、第１支持部１０１の第１連結部１１及び第２連結部１２は第１ヒンジ部１５１に回転可能に連結され、第２支持部１０２の第１連結部２１及び第２連結部２２は第１ヒンジ部１５１に回転可能に連結され、第２支持部１０２の第３連結部２３及び第４連結部２４は第２ヒンジ部１５２に回転可能に連結され、そして第３支持部１０３の第１連結部３１及び第２連結部３２は第２ヒンジ部１５２に回転可能に連結される。
【００３０】
第１〜第３支持部（１０１、１０２、１０３）は、第１及び第２ヒンジ部（１５１、１５２）を中心に所定の角度回転することができる。例えば、第１支持部１０１は第１ヒンジ部１５１を軸として１８０度回転可能であり、第３支持部１０３は第２ヒンジ部１５２を軸として３６０度回転することができる。
【００３１】
第１支持部１０１は第２支持部１０２の支持面１１１に向かって回転することができる。即ち、第１支持部１０１は第２支持部１０２の支持面１１１に向かってインフォルディング（ｉｎ−ｆｏｌｄｉｎｇ）可能である。一方、第２支持部１０２は第１支持部１０１の背面１１２に向かって回転することができない。反面、第２支持部１０２は第３支持部１０３の背面１１２に向かって回転することもできる。
【００３２】
第３支持部１０３は第２支持部１０２の支持面１１１又は第２支持部１０２の背面１１２に向かって回転することができる。即ち、第３支持部１０３は第２支持部１０２の支持面１１１に向かってインフォルディング（ｉｎ−ｆｏｌｄｉｎｇ）されると共に第２支持部１０２の背面１１２に向かってアウトフォルディング（ｏｕｔ−ｆｏｌｄｉｎｇ）される。
【００３３】
第１ヒンジ部１５１の回転軸と第２ヒンジ部１５２の回転軸とは平行である。また、第１保護部２０１の回転軸は第１ヒンジ部１５１の回転軸及び第２ヒンジ部１５２の回転軸の少なくとも一つに平行である。
【００３４】
表示パネル９００はパネル支持部１００上に配置される。例えば、表示パネル９００はパネル支持部１００の支持面１１１上に配置される。より具体的に、表示パネル９００は、第１支持部１０１、第２支持部１０２、及び第３支持部１０３の各支持面１１１上に配置される。表示パネル９００の非表示面９９２は、第１支持部１０１、第２支持部１０２、及び第３支持部１０３の各支持面１１１に接触する。また、表示パネル９００は第１ヒンジ部１５１及び第２ヒンジ部１５２上にも配置されるため、表示パネル９００の非表示面９９２は第１ヒンジ部１５１及び第２ヒンジ部１５２に接触する。一方、表示パネル９００の非表示面９９２は第１保護部２０１に接触しない。
【００３５】
パネル支持部１００の支持面１１１は表示パネル９００の非表示面９９２に向き合う。表示パネル９００の非表示面９９２は表示パネル９００の表示面９９１に向き合う。表示パネル９００は表示面９９１を介して映像を提供する。表示パネル９００の非表示面９９２は表示パネル９００の表示面９９１とパネル支持部１００の支持面１１１との間に配置される。パネル支持部１００の支持面１１１上に配置された表示パネル９００はパネル支持部１００の突出部１２０で取り囲まれる。
【００３６】
表示パネル９００はフレキシブル（ｆｌｅｘｉｂｌｅ）表示パネル９００又はフォルダブル（ｆｏｌｄａｂｌｅ）表示パネル９００であり得る。表示パネル９００は発光表示パネル９００又は液晶表示パネル９００であり得る。発光表示パネル９００は有機発光ダイオード（Ｏｒｇａｎｉｃ  Ｌｉｇｈｔ  Ｅｍｉｔｔｉｎｇ  Ｄｉｏｄｅ）表示パネル９００であり得る。
【００３７】
第１保護部２０１は複数の支持部のいずれか一つに連結される。例えば、図１及び図２に示したように、パネル支持部１００が完全に広げられた状態にある場合、第１保護部２０１は複数の支持部（１０１、１０２、１０３）の中のパネル支持部１００の一側の最外郭に配置された第１支持部１０１に連結される。第１保護部２０１は第１支持部１０１に回転可能に連結される。例えば、第１ヒンジ部１５１に連結された第１支持部１０１の一面を第１側面と定義し、第１支持部１０１の第１側面に向き合う第１支持部１０１の他面を第２側面と定義する場合、第１保護部２０１は第１支持部１０１の第２側面に回転可能に連結される。
【００３８】
第１支持部１０１は、第１支持部１０１の第２側面から第１保護部２０１に向かって突出する第３連結部１３及び第４連結部１４を含む。図２に示したように、第１保護部２０１は連結軸３０１を介して第３連結部１３及び第４連結部１４に連結される。第３連結部１３及び第４連結部１４は貫通ホール（１、２）を有する。第３連結部１３の貫通ホール１と第４連結部１４の貫通ホール２はＹ軸方向に向き合う。第３連結部１３の貫通ホール１は第３連結部１３をＹ軸方向に貫通し、第４連結部１４の貫通ホール２は第４連結部１４をＹ軸方向に貫通する。
【００３９】
第１保護部２０１は、例えば保護プレート２０１ａ及び保護プレート２０１ａから延びた延長部２０１ｂを含む。延長部２０１ｂは第３連結部１３と第４連結部１４との間に配置される。第１保護部２０１の延長部２０１ｂは貫通ホール３を有する。貫通ホール３は延長部２０１ｂをＹ軸方向に貫通する。上述した連結軸３０１は、第３連結部１３の貫通ホール１、第１保護部２０１の貫通ホール２、及び第４連結部１４の貫通ホール３に挿入される。第１保護部２０１は連結軸３０１に回転可能に結合される。
【００４０】
第１保護部２０１は、例えば透明物質を含む。
【００４１】
第１保護部２０１は、第２ヒンジ部１５２及び第２ヒンジ部１５２上の表示パネル部分（例えば、表示パネルの第２湾曲部（図１１の９００ｂ））を保護する。これについての具体的な説明は後述する。
【００４２】
図４は、図１の第１ヒンジ部１５１の立体図であり、図５は、図４の第１ヒンジ部１５１の詳細構成図である。
【００４３】
図４に示したように、第１ヒンジ部１５１は、第１プレート５０１、第１結合部５１１、及び第２結合部５１２を含む。
【００４４】
第１結合部５１１は第１プレート５０１の一側縁部からＺ軸方向に突出する。上述した第１支持部１０１及び第２支持部１０２は第１結合部５１１に回転可能に連結される。例えば、第１支持部１０１の第１連結部１１及び第２支持部１０２の第１連結部２１は第１結合部５１１に回転可能に連結される。
【００４５】
第１結合部５１１は第１回転軸５５１及び第２回転軸５５２を含む。第１回転軸５５１及び第２回転軸５５２はＹ軸方向に延びる。第１回転軸５５１及び第２回転軸５５２はそれぞれ第１結合部５１１のホールを通して第１結合部５１１の外部に露出する。ここで、第１回転軸５５１及び第２回転軸５５２は第１結合部５１１のＹ軸方向に向き合う両面を貫通して外部に露出する。
【００４６】
第１回転軸５５１は第１支持部１０１の第１連結部１１に連結される。例えば、第１回転軸５５１は第１支持部１０１の第１連結部１１の結合ホールに挿入される。第１回転軸５５１の端部及び端部に連結される第１連結部１１の結合ホールはそれぞれ四角形を有する。
【００４７】
第２回転軸５５２は第２支持部１０２の第１連結部２１に連結される。例えば、第２回転軸５５２は第２支持部１０２の第１連結部２１の結合ホールに挿入される。第２回転軸５５２の端部及び端部に連結される第１連結部２１の結合ホールはそれぞれ四角形を有する。
【００４８】
また、第１結合部５１１は、図５に示したように、第１ギア５９１、第２ギア５９２、第３ギア５９３、及び第４ギア５９４を含む。第１ギア５９１、第２ギア５９２、第３ギア５９３、及び第４ギア５９４は第１結合部５１１の内部に備えられた収納空間に配置される。第１ギア５９１及び第２ギア５９２は収納空間の上側に互いに離隔して配置され、第３ギア５９３及び第４ギア５９４は収納空間の下側に配置される。ここで、第３ギア５９３は第１ギア５９１の下部に配置され、第４ギア５９４は第２ギア５９２の下部に配置される。
【００４９】
第１ギア５９１の軸は上述した第１回転軸５５１に連結され、第２ギア５９２の軸は上述した第２回転軸５５２に連結される。例えば、第１ギア５９１の軸は第１回転軸５５１と一体的になり、第２ギア５９２の軸は第２回転軸５５２と一体的になる。
【００５０】
第１ギア５９１は第３ギア５９３に連結され、第３ギア５９３は第４ギア５９４に連結され、そして第４ギア５９４は第２ギア５９２に連結される。即ち、第１ギア５９１は第３ギア５９３と噛み合って連結され、第３ギア５９３は第４ギア５９４と噛み合って連結され、そして第４ギア５９４は第２ギア５９２と噛み合って連結される。一方、第３ギア５９３の軸及び第４ギア５９４の軸はそれぞれ第１結合部５１１に回転可能に結合される。
【００５１】
第１ギア５９１が回転すると、第１ギア５９１に連結された第３ギア５９３が回転し、第３ギア５９３が回転すると、第３ギア５９３に連結された第４ギア５９４が回転し、第４ギア５９４が回転すると、第４ギア５９４に連結された第２ギア５９２が回転する。第１ギア５９１及び第４ギア５９４は同じ方向に回転し、第２ギア５９２及び第３ギア５９３は同じ方向に回転する。第１ギア５９１と第２ギア５９２とは互いに反対方向に回転し、第３ギア５９３と第４ギア５９４とは互いに反対方向に回転する。
【００５２】
図４に示したように、第２結合部５１２は第１プレート５０１の他側縁部からＺ軸方向に突出する。上述した第１支持部１０１及び第２支持部１０２は第２結合部５１２に回転可能に連結される。例えば、第１支持部１０１の第２連結部１２及び第２支持部１０２の第２連結部２２は第２結合部５１２に回転可能に連結される。
【００５３】
第２結合部５１２は第３回転軸５５３及び第４回転軸５５４を含む。第３回転軸５５３及び第４回転軸５５４はＹ軸方向に延びる。第３回転軸５５３及び第４回転軸５５４はそれぞれ第２結合部５１２のホールを通して第２結合部５１２の外部に露出する。ここで、第３回転軸５５３及び第４回転軸５５４は第２結合部５１２のＹ軸方向に向き合う両面を貫通して外部に露出する。
【００５４】
第３回転軸５５３は第１支持部１０１の第２連結部１２に連結される。例えば、第３回転軸５５３は第１支持部１０１の第２連結部１２の結合ホールに挿入される。第３回転軸５５３の端部及び端部に連結される第２連結部１２の結合ホールはそれぞれ四角形を有する。
【００５５】
第４回転軸５５４は第２支持部１０２の第２連結部２２に連結される。例えば、第４回転軸５５４は第２支持部１０２の第２連結部２２の結合ホールに挿入される。第４回転軸５５４の端部及び端部に連結される第２連結部２２の結合ホールはそれぞれ四角形を有する。
【００５６】
図示していないが、第２結合部５１２は、上述した第１〜第４ギア（５９１、５９２、５９３、５９４）を含む。第２結合部５１２に含まれる第１ギア軸は第３回転軸５５３に連結され、第２結合部５１２に含まれる第２ギア軸は第４回転軸５５４に連結される。
【００５７】
図６は、図１の第２ヒンジ部１５２の立体図であり、図７は、図６の第２ヒンジ部１５２と支持部との間の結合関係を示した図であり、図８は、図６のいずれか一つの関節部６００の立体図であり、図９は、図６の関節部６００と連結軸との間の連結関係を説明するための図である。
【００５８】
第２ヒンジ部１５２は、図６〜図９に示したように、複数の関節部（ｊｏｉｎｔ）６００、複数の第１連結軸６２１、及び複数の第２連結軸６２２を含む。
【００５９】
各関節部６００は、第２プレート６０２、第３結合部６１３、及び第４結合部６１４を含む。
【００６０】
第３結合部６１３は第２プレート６０２の一側縁部に連結され、第４結合部６１４は第２プレート６０２の他側縁部に連結される。一つの関節部６００に含まれる第２プレート６０２、第３結合部６１３、及び第４結合部６１４は一体的になる。
【００６１】
隣接する第３結合部６１３は第１連結軸６２１を介して互いにヒンジ結合される。複数の第３結合部６１３はそれぞれ菱形の断面を有する。
【００６２】
図８に示したように、第３結合部６１３のそれぞれの一面に少なくとも一つの第１突起６１及び少なくとも一つの第１溝７１が交互に配置され、第３結合部６１３のそれぞれの他面に少なくとも一つの第２突起６２及び少なくとも一つの第２溝７２が交互に配置される。ここで、第１突起６１に対応する部位に第２溝７２が位置し、第１溝７１に対応する部位に第２突起６２が位置する。
【００６３】
第１突起６１及び第２突起６２はそれぞれその中心部を貫通する貫通ホール６０を有する。
【００６４】
第１突起６１及び第２突起６２はそれぞれ突出する円柱形を有し、第１溝７１及び第２溝７２は凹形を有する。
【００６５】
互いに隣り合う第３結合部６１３の対向面のいずれか一面に備えられた第１突起６１は他面に備えられた第２溝７２に向き合う。第１突起６１は第２溝７２に挿入される。互いに隣り合う第３結合部６１３の突起と溝とが結合した後、突起のホールに第１連結軸６２１が挿入される。このような方法で互いに隣り合う第３結合部６１３がヒンジ方式で結合される。
【００６６】
一方、図７に示したように、複数の第３結合部６１３の中の一側最外郭に配置された第３結合部６１３は第１連結軸６２１を介して第２支持部１０２の第３連結部２３に連結され、複数の第３結合部６１３の中の他側最外郭に配置された第３結合部６１３は第１連結軸６２１を介して第３支持部１０３の第１連結部３１に連結される。ここで、一側最外郭に配置された第３結合部６１３は複数の第３結合部６１３の中の第２支持部１０２に最も近くに配置され、他側最外郭に配置された第３結合部６１３は複数の第３結合部６１３の中の第３支持部１０３に最も近くに配置される。
【００６７】
図６に示したように、隣接する第４結合部６１４は第２連結軸６２２を介して互いにヒンジ結合される。複数の第４結合部６１４はそれぞれ菱形の断面を有する。
【００６８】
第４結合部６１４は、上述した第１突起６１、第２突起６２、第１溝７１、及び第２溝７２を有する。具体的に、第４結合部６１４のそれぞれの一面に上述した少なくとも一つの第１突起及び少なくとも一つの第１溝が交互に配置され、第４結合部６１４のそれぞれの他面に少なくとも一つの第２突起及び少なくとも一つの第２溝が交互に配置される。ここで、第１突起に対応する部位に第２溝が位置し、第１溝に対応する部位に第２突起が位置する。
【００６９】
第１突起及び第２突起はそれぞれ突出する円柱形を有し、第１溝及び第２溝は凹形を有する。
【００７０】
互いに隣り合う第４結合部６１４の対向面のいずれか一面に備えられた第１突起は、他面に備えられた第２溝に向き合う。第１突起は第２溝に挿入される。互いに隣り合う第４結合部６１４の突起と溝とが結合した後、突起のホールに第２連結軸６２２が挿入される。このような方法で互いに隣り合う第４結合部６１４がヒンジ方式で結合される。
【００７１】
一方、複数の第４結合部６１４の中の一側最外郭に配置された第４結合部６１４は第２連結軸６２２を介して第２支持部１０２の第４連結部２４に連結され、複数の第４結合部６１４の中の他側最外郭に配置された第４結合部６１４は第２連結軸６２２を介して第３支持部１０３の第２連結部３２に連結される。ここで、一側最外郭に配置された第４結合部６１４は複数の第４結合部６１４の中の第２支持部１０２に最も近くに配置され、他側最外郭に配置された第４結合部６１４は複数の第４結合部６１４の中の第３支持部１０３に最も近くに配置される。
【００７２】
図１０は、図１の表示装置をＹ軸方向の矢印方向に見た図であり、図１１は、図１０の表示装置が折り畳まれた状態を示した図である。
【００７３】
図１０に示したように、第１保護部２０１と第１支持部１０１とは所定の角度θ１をなす。例えば、第１保護部２０１と第１支持部１０１との間の角度θ１は９０度〜１８０度である。即ち、第１保護部２０１の内側面２０１ｃと第１支持部１０１の支持面１１１とがなす角度は９０度〜１８０度である。また、他の例として、第１保護部２０１と第１支持部１０１との間の角度θ１は８０度〜１９０度である。
【００７４】
図１０のような状態で、第２支持部１０２が第１支持部１０１の支持面１１１に向かって１８０度回転し、第３支持部１０３が第２支持部１０２の背面１１２に向かって１８０度回転すると、図１１に示したように、支持部（１０１、１０２、１０３）がＺ軸方向（例えば、垂直方向）に配置される。図１１に示したように、表示装置１０００が折り畳まれた場合、第１支持部１０１上に第２支持部１０２が配置され、第２支持部１０２上に第３支持部１０３が配置される。ここで、第１支持部１０１の支持面１１１と第２支持部１０２の支持面１１１とが互いに向き合い、第２支持部１０２の背面１１２と第３支持部１０３の背面１１２とが互いに向き合う。このように、パネル支持部１００が折り畳まれた場合、パネル支持部１００上の表示パネル９００も折り畳まれた状態で維持される。例えば、第１ヒンジ部１５１上の表示パネル部分及び第２ヒンジ部上の表示パネル部分が湾曲される。即ち、表示パネル９００の第１湾曲部９００ａは第１ヒンジ部１５１上に配置され、表示パネル９００の第２湾曲部９００ｂは第２ヒンジ部１５２上に配置される。
【００７５】
図１１に示したように、第１保護部２０１は第１支持部１０１の支持面１１１に向かって９０度回転する。この場合、第１保護部２０１は第１支持部１０１の支持面１１１に対して垂直方向に配置される。即ち、第１保護部２０１はＺ軸方向に突出する形状を有する。
【００７６】
Ｚ軸方向に突出する第１保護部２０１は第２ヒンジ部１５２及び表示パネル９００の第２湾曲部９００ｂにＸ軸方向に向き合う。これにより、第２ヒンジ部１５２及び表示パネル９００の第２湾曲部９００ｂはパネル支持部１００の側面（例えば、第３支持部１０３の側面及び第２支持部１０２の側面）と第１保護部２０１との間に配置される。従って、第２ヒンジ部１５２及び表示パネル９００の第２湾曲部９００ｂは第１保護部２０１によって保護される。
【００７７】
一方、第１保護部２０１と第１支持部１０１との間の角度は９０度に固定される。この場合、第１保護部２０１は第１支持部１０１に固定された状態で連結される。例えば、第１保護部２０１は第１支持部１０１の一側縁部から突出する形状を有する。
【００７８】
図１２は、本発明の他の実施形態による表示装置１０００を示した図であり、図１３は、図１２の緩衝部４００の一実施例を説明するための図であり、図１４は、図１２の緩衝部４００の他の実施例を説明するための図である。
【００７９】
本実施形態の表示装置１０００は、図１２に示したように、第１保護部２０１の内側面２０１ｃ上に配置された緩衝部４００を更に含む。
【００８０】
緩衝部４００は、図１３に示したように、保護プレート２０１ａの内側面２０１ｃの全面に配置される。
【００８１】
他の実施例として、緩衝部４００は、図１４に示したように、保護プレート２０１ａの内側面２０１ｃの両側縁部にそれぞれ配置される。両側縁部に配置された緩衝部４００は表示パネル９００に重畳しない。
【００８２】
緩衝部４００は、アクリル、シリコン、及びゴムの少なくとも１種を含む。
【００８３】
図１５は、本発明の他の実施形態による表示装置１０００の第１保護部２０１を示した図である。
【００８４】
図１５に示したように、本実施形態の表示装置１０００は、第１保護部２０１の内側面２０１ｃに配置された補助表示パネル１１０を更に含む。
【００８５】
補助表示パネル１１０の表示面には、例えば、通話、メッセージ、電話帳、インターネット、時計、カメラ、及び音量制御などに関するアイコン１１５が表示される。
【００８６】
一方、上述した補助表示パネル１１０は、第１保護部２０１の内側面２０１ｃの代わりに、外側面２０１ｄに配置される。また、上述した補助表示パネル１１０は第１保護部２０１の内側面２０１ｃ及び外側面２０１ｄの両方に配置され得る。
【００８７】
図１６は、本発明の他の実施形態による表示装置１０００の第１保護部２０１を示した図であり、図１７及び図１８は、図１６のモード判断センサー５１０の動作を説明するための図である。
【００８８】
図１６に示したように、本実施形態の表示装置は、第１保護部２０１の内側面２０１ｃに配置されたモード判断センサー５１０及び指紋センサー５２０の少なくとも一つを含む。
【００８９】
モード判断センサー５１０は、表示装置１０００のフォルディング状態を感知することができる。例えば、図１７に示したように、表示装置１０００が完全に広げられている場合、モード判断センサー５１０からの光は遮断されない。この場合、モード判断センサー５１０は表示装置１０００がアンフォルディング（ｕｎｆｏｌｄｉｎｇ）モードの状態であると判断する。一方、図１８に示したように、表示装置１０００が完全に折り畳まれた場合、モード判断センサー５１０からの光は第２ヒンジ部１５２によって遮断される。この場合、モード判断センサー５１０は表示装置１０００がフォルディング（ｆｏｌｄｉｎｇ）モードの状態であると判断する。一方、モード判断センサー５１０からの光が使用者の指などによって遮断されることを防止するように、モード判断センサー５１０は第１保護部２０１の縁部に配置される。第１保護部２０１の縁部は第２ヒンジ部１５２の一側縁部に対応する。
【００９０】
モード判断センサー５１０は、赤外線センサーを含む。
【００９１】
モード判断センサー５１０からの感知結果は表示パネル９００に表示される。例えば、表示装置１０００がアンフォルディングモードの状態の場合、表示パネル９００には“アンフォルディングモード”というテキストが表示される。一方、表示装置１０００がフォルディングモードの状態の場合、表示パネル９００には“フォルディングモード”というテキストが表示される。このようなテキストは上述した補助表示パネル１１０の表示面９９１に表示され得る。
【００９２】
指紋センサー５２０は指紋センサー５２０に接触した指紋を感知する。表示装置１０００の駆動部は、感知された指紋と予め登録された指紋とを比較し、比較結果によって表示装置１０００の使用権限を制限する。例えば、指紋センサー５２０によって感知された指紋と登録された指紋とが一致する場合、表示パネル９００の表示面９９１が活性化する。
【００９３】
図１９は、本発明の他の実施形態による表示装置１０００の第１保護部２０１を示した図である。
【００９４】
図１９に示したように、本実施形態の表示装置１０００は、第１保護部２０１の内側面２０１ｃに配置された物理操作部５３０を含む。
【００９５】
物理操作部５３０は、例えば十字形の方向制御キー５３０ａ及び押しボタン５３０ｂを含む。物理操作部５３０の操作によって表示パネル９００の画面が制御される。
【００９６】
一方、物理操作部５３０は第１保護部２０１の外側面に配置される。
【００９７】
図２０は、本発明の他の実施形態による表示装置１０００の第１保護部２０１を示した図である。
【００９８】
図２０に示したように、本実施形態の表示装置１０００は、第１保護部２０１の外側面２０１ｄに配置された撮影部５４０及び照明部５５０の少なくとも一つを含む。
【００９９】
撮影部５４０はカメラを含む。撮影部５４０によって撮影された映像は表示パネル９００に表示される。
【０１００】
照明部５５０は光を出射する。照明部５５０は撮影部５４０の撮影時点に同期して光を出射する。また、照明部５５０は撮影部５４０の撮影可否に拘らず、独立的に駆動され得る。
【０１０１】
図２１は、本発明の他の実施形態による表示装置１０００の第１保護部２０１を示した図であり、図２２及び図２３は、図２１の位置判断センサー５６０の動作を説明するための図である。
【０１０２】
図２１に示したように、本実施形態の表示装置１０００は、第１保護部２０１の外側面２０１ｄに配置された位置判断センサー５６０及び指紋センサー５７０の少なくとも一つを含む。
【０１０３】
位置判断センサー５６０は第１保護部２０１の位置を判断する。例えば、図２２に示したように、第１保護部２０１が第１支持部１０１に対して１８０度の角度をなす場合、位置判断センサー５６０は、これを感知し、感知結果を表示装置１０００の駆動部に伝送する。ここで、駆動部は、表示パネル９００に第１保護部２０１と第１支持部１０１との間の角度を表示するように表示パネル９００を制御する。一方、図２３に示したように、第１保護部２０１が第１支持部１０１に対して９０度の角度をなす場合、位置判断センサー５６０は、これを感知し、感知結果を表示装置１０００の駆動部に伝送する。ここで、駆動部は、表示パネル９００に第１保護部２０１と第１支持部１０１との間の角度を表示するように表示パネル９００を制御する。
【０１０４】
指紋センサー５７０は指紋センサー５７０に接触した指紋を感知する。指紋センサー５７０は上述した図１６の指紋センサー５２０と同一であるため、図２１の指紋センサー５７０についての説明は、図１６の指紋センサー５２０についての説明を参照する。
【０１０５】
図２４ａａ及び図２４ｂは、本発明の第１保護部２０１の他の実施例を説明するための図である。ここで、図２４ａｂは図２４ａａのＡ部の拡大図である。
【０１０６】
第１保護部２０１は、図２４ａａ、図２４ａｂ、及び図２４ｂに示したように、第３支持部１０３から遠くなるほど次第に大きくなる厚さを有する。このため、第１保護部２０１は、保護プレート２０１ａから突出する突出部２０１ｅを更に含む。突出部２０１ｅは、保護プレート２０１ａの一側縁部から突出する。突出部２０１ｅの内側面２０１ｆはラウンド状を有する。ここで、突出部２０１ｅの曲率と表示パネル９００の第２湾曲部９００ｂの曲率とは同一である。
【０１０７】
一方、図示していないが、図２４ａａ〜図２４ｂの第１保護部２０１の内側面２０１ｃに、上述した緩衝部４００、補助表示パネル１１０、モード判断センサー５１０、指紋センサー５２０、及び物理操作部５３０の少なくとも一つが配置され得る。また、図２４ａ及び図２４ｂの第１保護部２０１の外側面２０１ｄに、上述した撮影部５４０、照明部５５０、位置判断センサー５６０、及び指紋センサー５７０の少なくとも一つが配置され得る。
【０１０８】
図２５ａａ〜図２５ｃは、本発明の他の実施形態による表示装置１０００を示した図である。ここで、図２５ａｂは図２５ａａのＢ部の拡大図である。
【０１０９】
本実施形態の表示装置１０００は、図２５ａａ、図２５ａｂ、図２５ｂ、及び図２５ｃに示したように、第２保護部２０２を更に含む。
【０１１０】
第２保護部２０２は、第１保護部２０１に回転可能に連結される。例えば、第２保護部２０２は第３ヒンジ部１５３を介して第１保護部２０１に連結される。第２保護部２０２は第３ヒンジ部１５３を中心に３６０度回転する。
【０１１１】
第３ヒンジ部１５３の一側端部は第１連結軸３１１を介して第１保護部２０１に回転可能に連結され、第３ヒンジ部１５３の他側端部は第２連結軸３１２を介して第２保護部２０２に回転可能に連結される。
【０１１２】
第２保護部２０２の回転軸は第１ヒンジ部１５１の回転軸及び第２ヒンジ部１５２の回転軸の少なくとも一つに平行である。
【０１１３】
図２５ｃに示したように、第２保護部２０２は、反時計方向に回転して第３支持部１０３上に配置される。第２保護部２０２は第３支持部１０３上の支持面１１１に配置された表示パネル９００の表示面に向き合う。第２保護部２０２によって支持面１１１上の表示パネル９００が保護される。例えば、第２保護部２０２によって支持面１１１上の表示パネル９００の表示面９９１が保護される。
【０１１４】
第２保護部２０２は、透明物質又は半透明物質を含む。
【０１１５】
図２５ｃに示したように、第２保護部２０２が第３支持部１０３上に配置された場合、第２保護部２０２は第３支持部１０３上の表示パネル９００に接触する。即ち、第２保護部２０２は表示パネル９００の表示面９９１に接触する。
【０１１６】
また、第２保護部２０２に外部から加わったタッチは表示パネル９００のタッチ感知部によって認識される。
【０１１７】
一方、図示していないが、図２５ａａ〜図２５ｃの第１保護部２０１の内側面２０１ｃには、上述した緩衝部４００、補助表示パネル１１０、モード判断センサー５１０、指紋センサー５２０、及び物理操作部５３０の少なくとも一つが配置され得る。また、図２５の第１保護部２０１の外側面２０１ｄには、上述した撮影部５４０、照明部５５０、位置判断センサー５６０、及び指紋センサー５７０の少なくとも一つが配置され得る。
【０１１８】
また、図２５ａａ〜図２５ｃの第１保護部２０１は上述した図２４ａａ〜図２４ｂの第１保護部２０１と同一の形状を有する。
【０１１９】
図２６は、本発明の他の実施形態による表示装置１０００を示した図であり、図２７は、図２６の表示装置１０００をＹ軸方向の矢印方向に見た図であり、図２８は、図２７の表示装置１０００が折り畳まれた状態を示した図である。
【０１２０】
図２６〜図２８に示したように、本実施形態の表示装置１０００は、第３保護部２０３を含む。
【０１２１】
図２６及び図２７に示したように、パネル支持部１００が完全に広げられた状態にある場合、第３保護部２０３は複数の支持部の中のパネル支持部１００の他側最外郭に配置された第３支持部１０３に連結される。ここで、第３保護部２０３は第３支持部１０３に回転可能に連結される。例えば、第２ヒンジ部１５２に連結された第３支持部１０３の一面を第１側面と定義し、第３支持部１０３の第１側面に向き合う第３支持部１０３の他面を第２側面と定義する場合、第３保護部２０３は第３支持部１０３の第２側面に回転可能に連結される。
【０１２２】
第３支持部１０３は第３支持部１０３の第２側面から第３保護部２０３に向かって突出する第３連結部３３及び第４連結部３４を含む。第３保護部２０３は連結軸３０３を介して第３連結部３３及び第４連結部３４に連結される。第３連結部３３及び第４連結部３４は貫通ホール（１０、２０）を有する。第３連結部３３の貫通ホール１０と第４連結部３４の貫通ホール２０とはＹ軸方向に向き合う。第３連結部３３の貫通ホール１０は第３連結部３３をＹ軸方向に貫通し、第４連結部３４の貫通ホール２０は第４連結部３４をＹ軸方向に貫通する。
【０１２３】
第３保護部２０３は、例えば保護プレート２０３ａ及び保護プレート２０３ａから延びる延長部２０３ｂを含む。延長部２０３ｂは第３連結部３３と第４連結部３４との間に配置される。第３保護部２０３の延長部２０３ｂは貫通ホール３０を有する。第３保護部２０３の貫通ホール３０は第３保護部２０３をＹ軸方向に貫通する。上述した連結軸３０３は、第３連結部３３の貫通ホール１０、第３保護部２０３の貫通ホール３０、及び第４連結部３４の貫通ホール２０に挿入される。第３保護部２０３は連結軸３０３に回転可能に結合される。
【０１２４】
第３保護部２０３は、例えば透明物質を含む。
【０１２５】
第３保護部２０３は、第１ヒンジ部１５１及び第１ヒンジ部１５１上の表示パネル部分（例えば、表示パネルの第１湾曲部９００ａ）を保護する。
【０１２６】
図２７に示したように、第３保護部２０３と第３支持部１０３とは所定の角度θ３をなす。例えば、第３保護部２０３と第３支持部１０３との間の角度θ３は９０度〜１８０度である。即ち、第３保護部２０３の内側面２０３ｃと第３支持部１０３の背面１１２とがなす角度θ３は９０度〜１８０度である。更に他の例として、第３保護部２０３と第３支持部１０３との間の角度θ３は８０度〜１９０度である。
【０１２７】
第３保護部２０３の回転軸は第１ヒンジ部１５１の回転軸及び第２ヒンジ部１５２の回転軸の少なくとも一つに平行である。
【０１２８】
図２７のような状態で、第２支持部１０２が第１支持部１０１の支持面１１１に向かって１８０度回転し、第３支持部１０３が第２支持部１０２の背面１１２に向かって１８０度回転すると、図２８に示したように、支持部（１０１、１０２、１０３）がＺ軸方向（例えば、垂直方向）に沿って配置される。図２８に示したように、表示装置１０００が折り畳まれた場合、第１支持部１０１上に第２支持部１０２が配置され、第２支持部１０２上に第３支持部１０３が配置される。ここで、第１支持部１０１の支持面１１１と第２支持部１０２の支持面１１１とが互いに向き合い、第２支持部１０２の背面１１２と第３支持部１０３の背面１１２とが互いに向き合う。このように、パネル支持部１００が折り畳まれた場合、パネル支持部１００上の表示パネル９００も折り畳まれた状態で維持される。例えば、第１ヒンジ部１５１上の表示パネル部分及び第２ヒンジ部１５２上の表示パネル部分が湾曲される。即ち、表示パネル９００の第１湾曲部９００ａは第１ヒンジ部１５１上に配置され、表示パネル９００の第２湾曲部９００ｂは第２ヒンジ部１５２上に配置される。
【０１２９】
図２８に示したように、第３保護部２０３は第３支持部１０３の背面に向かって９０度回転することができる。この場合、第３保護部２０３は第３支持部１０３の背面１１２に対して垂直方向に配置される。即ち、第３保護部２０３はＺ軸方向の逆方向（以下、−Ｚ軸方向）に突出する形状を有する。
【０１３０】
−Ｚ軸方向に突出する第３保護部２０３は第１ヒンジ部１５１及び表示パネル９００の第１湾曲部９００ａにＸ軸方向に向き合う。これにより、第１ヒンジ部１５１及び表示パネル９００の第１湾曲部９００ａはパネル支持部１００の側面（例えば、第２支持部１０２の側面及び第１支持部１０１の側面）と第３保護部２０３との間に配置される。従って、第１ヒンジ部１５１及び表示パネル９００の第１湾曲部９００ａは第３保護部２０３によって保護される。
【０１３１】
一方、図示していないが、第３保護部２０３の内側面２０３ｃには、上述した緩衝部４００、補助表示パネル１１０、モード判断センサー５１０、指紋センサー５２０、及び物理操作部５３０の少なくとも一つが配置され得る。また、第３保護部２０３の外側面２０３ｄには、上述した撮影部５４０、照明部５５０、位置判断センサー５６０、及び指紋センサー５２０の少なくとも一つが配置され得る。また、第３保護部２０３の外側面２０３ｄには、上述した緩衝部４００、補助表示パネル１１０、モード判断センサー５１０、指紋センサー５２０、及び物理操作部５３０の少なくとも一つが配置され得る。また、第３保護部２０３の内側面２０３ｃには、上述した撮影部５４０、照明部５５０、位置判断センサー５６０、及び指紋センサー５２０の少なくとも一つが配置され得る。
【０１３２】
また、第３保護部２０３は、上述した図２４ａ及び図２４ｂの第１保護部２０１と同一の形状を有することもできる。
【０１３３】
一方、第３保護部２０３と第３支持部１０３との間の角度は９０度に固定され得る。この場合、第３保護部２０３は第３支持部１０３に固定された状態で連結される。例えば、第３保護部２０３は第３支持部１０３の一側端から突出する形状を有する。
【０１３４】
図２９は、本発明の他の実施形態による表示装置１０００を示した図である。
【０１３５】
図２９に示したように、表示装置１０００は、上述した第１保護部２０１及び第３保護部２０３を含む。
【０１３６】
図２９の第１保護部２０１及び第３保護部２０３は、上述した図１の第１保護部２０１及び図２６の第３保護部２０３と同一であるため、図２９の第１保護部２０１についての説明は図１の第１保護部２０１についての説明を参照し、図２９の第３保護部２０３についての説明は図２６の第３保護部２０３の説明を参照する。
【０１３７】
図３０は、本発明の他の実施形態による表示装置１０００を示した図である。
【０１３８】
図３０に示したように、表示装置１０００は、上述した第１保護部２０１及び第３保護部２０３を含む。
【０１３９】
図３０の第１保護部２０１及び第３保護部２０３は、上述した図１の第１保護部２０１及び図２６の第３保護部２０３と同一である。
【０１４０】
ここで、第１保護部２０１は第２ヒンジ部１５２及び第２ヒンジ部１５２上に配置された補助表示パネル１１０の第２湾曲部９００ｂの表示面９９１に接触する。
【０１４１】
また、第３保護部２０３は第１ヒンジ部１５１に接触する。
【０１４２】
図３１は、本発明の他の実施形態による表示装置を示した図である。具体的に、図３１は第１保護部の他の実施例を示す。
【０１４３】
第１保護部２４１は、図３１に示したように、保護プレート７０、第１延長部７１、第２延長部７２、第１回転軸８１、及び第２回転軸８２を含む。
【０１４４】
第１延長部７１は保護プレート７０の一側縁部から−Ｘ軸方向に延びる。第１延長部７１はこれをＹ軸方向に貫通する貫通ホール４１を有する。
【０１４５】
第２延長部７２は保護プレート７０の他側縁部から−Ｘ軸方向に延びる。第２延長部７２はこれをＹ軸方向に貫通する貫通ホール４２を有する。
【０１４６】
第１回転軸８１は第１延長部７１の貫通ホール４１を貫通して第１支持部１０１の溝９１に結合される。第１支持部１０１の溝９１は第１支持部１０１の第３連結部３３に位置する。
【０１４７】
第２回転軸８２は第２延長部７２の貫通ホール４２を貫通して第１支持部１０１の溝９２に結合される。第１支持部１０１の溝９２は第１支持部１０１の第４連結部３４に位置する。
【０１４８】
以上、本発明の実施形態について図面を参照しながら詳細に説明したが、本発明は、上述の実施形態に限定されるものではなく、本発明の技術的思想から逸脱しない範囲内で多様に変形実施することが可能である。
【符号の説明】
【０１４９】
１、２、３、１０、２０、３０    貫通ホール
１１、２１、３１    第１連結部
１２、２２、３２    第２連結部
１３、２３、３３    第３連結部
１４、２４、３４    第４連結部
４１、４２    第１、第２延長部の貫通ホール
６０    第１、第２突起の貫通ホール
６１、６２    第１、第２突起
７０    保護プレート
７１    第１溝、第１延長部
７２    第２溝、第２延長部
８１、５５１    第１回転軸
８２、５５２    第２回転軸
９１、９２    溝
１００    パネル支持部
１０１〜１０３    第１〜第３支持部
１１０    補助表示パネル
１１１    支持面
１１２    背面
１１５    アイコン
１２０、２０１ｅ    突出部
１５１、１５２、１５３    第１、第２、第３ヒンジ部
２０１、２４１    第１保護部
２０１ａ、２０３ａ    保護プレート
２０１ｂ、２０３ｂ    延長部
２０１ｃ、２０１ｆ，２０３ｃ    内側面
２０１ｄ，２０３ｄ    外側面
２０２    第２保護部
２０３    第３保護部
３０１、３０３    連結軸
３１１、６２１    第１連結軸
３１２、６２２    第２連結軸
４００    緩衝部
５０１    第１プレート
５１０    モード判断センサー
５１１、５１２    第１、第２結合部
５２０、５７０    指紋センサー
５３０    物理操作部
５３０ａ    方向制御キー
５３０ｂ    押しボタン
５４０    撮影部
５５０    照明部
５５３、５５４    第３、第４回転軸
５６０    位置判断センサー
５９１〜５９４    第１〜第４ギア
６００    関節部
６０２    第２プレート
６１３、６１４    第３、第４結合部
９００    表示パネル
９００ａ、９００ｂ    第１、第２湾曲部
９９１    表示面
９９２    非表示面
１０００    表示装置
【図１】
2020187353.tif 000003
【図２】
2020187353.tif 000004
【図３】
2020187353.tif 000005
【図４】
2020187353.tif 000006
【図５】
2020187353.tif 000007
【図６】
2020187353.tif 000008
【図７】
2020187353.tif 000009
【図８】
2020187353.tif 000010
【図９】
2020187353.tif 000011
【図１０】
2020187353.tif 000012
【図１１】
2020187353.tif 000013
【図１２】
2020187353.tif 000014
【図１３】
2020187353.tif 000015
【図１４】
2020187353.tif 000016
【図１５】
2020187353.tif 000017
【図１６】
2020187353.tif 000018
【図１７】
2020187353.tif 000019
【図１８】
2020187353.tif 000020
【図１９】
2020187353.tif 000021
【図２０】
2020187353.tif 000022
【図２１】
2020187353.tif 000023
【図２２】
2020187353.tif 000024
【図２３】
2020187353.tif 000025
【図２４ａａ】
2020187353.tif 000026
【図２４ａｂ】
2020187353.tif 000027
【図２４ｂ】
2020187353.tif 000028
【図２５ａａ】
2020187353.tif 000029
【図２５ａｂ】
2020187353.tif 000030
【図２５ｂ】
2020187353.tif 000031
【図２５ｃ】
2020187353.tif 000032
【図２６】
2020187353.tif 000033
【図２７】
2020187353.tif 000034
【図２８】
2020187353.tif 000035
【図２９】
2020187353.tif 000036
【図３０】
2020187353.tif 000037
【図３１】
2020187353.tif 000038